(57)【要約】【課題】取り付けのための部品点数を削減し、取り付けや取り外しの手間も大幅に軽減した振動ふるい装置の超音波発振子の取付構造を提供する。【解決手段】振動ふるい装置のふるい網６を保持する中枠３３の外周に、外方へ開放する一端閉鎖の円筒状に形成された収容部材７４を設けてこれに柱状の超音波発振子４を収容し、収容状態で超音波発振子４の出力端４３を収容部材７４の閉鎖端面に設けた開口に位置させるとともに、収容部材７４を蓋部材７５で閉鎖して当該蓋部材７５の閉鎖端面に設けた開口に超音波発振子４の入力端４４を位置させ、この状態で超音波発振子４の両端面を、収容部材７４内と蓋部材７５内にそれぞれ配設した振動絶縁用のＯリング８１，８２によって弾性的に保持するようにし、出力端４３にふるい網６に至るウェーブガイド５の基端を連結するとともに、入力端４４に高周波ケーブル４２を接続する。【選択図】        図２
2019202276.tif 000002
【特許請求の範囲】
【請求項１】
振動ふるい装置のふるい網を保持する枠体の外周に、外方へ開放する一端閉鎖の円筒状に形成された収容部材を設けてこれに柱状の超音波発振子を収容し、収容状態で前記超音波発振子の出力端を前記収容部材の閉鎖端面に設けた開口に位置させるとともに、前記収容部材を蓋部材で閉鎖して当該蓋部材の閉鎖端面に設けた開口に前記超音波発振子の入力端を位置させ、この状態で前記超音波発振子の両端面を、前記収容部材内と前記蓋部材内にそれぞれ配設した振動絶縁用の弾性部材によって弾性的に保持するようにし、前記出力端にふるい網に至る振動伝達部材の基端を連結するとともに、前記入力端に高周波信号線を接続することを特徴とする振動ふるい装置の超音波発振子の取付構造。
【請求項２】
前記収容部材の開放端部外周にねじ部を形成して、当該ねじ部に、一端閉鎖の容器状に形成された前記蓋部材の開放端部内周に形成されたねじ部を螺合させて、前記収容部材を前記蓋部材で閉鎖するようにした請求項１に記載の振動ふるい装置の超音波発振子の取付構造。
【請求項３】
前記振動伝達部材を直線状の棒体で構成した請求項１又は２に記載の振動ふるい装置の超音波発振子の取付構造。
【請求項４】
前記振動伝達部材を、ふるい網を張設したリングフレームの外周から内方へ貫通させてその一端を共振リングの外周に当接させて接合した請求項３に記載の振動ふるい装置の超音波発振子の取付構造。
【請求項５】
前記振動ふるい装置のふるい容器本体を構成する枠体の連結部に、シール部材を介して前記リングフレームを挟持させて前記ふるい容器本体の密閉性を確保した請求項３又は４に記載の振動ふるい装置の超音波発振子の取付構造。
【発明の詳細な説明】
【技術分野】
【０００１】
本発明は振動ふるい装置の超音波発振子の取付構造に関し、特に簡易な構造で確実な取付けが可能な取付構造に関するものである。
【背景技術】
【０００２】
振動ふるい装置は、固定架台上に複数のコイルバネにより有底円筒状のふるい容器本体を支持して、振動モータの振動をふるい容器本体の内部に張設したステンレス等の金属製ふるい網や合成樹脂製ふるい網に伝達して各種粉体原材料をふるい分けする装置である。このような振動ふるい装置において、特許文献１には、原材料の分散とふるい網の目詰まりを除去してふるい処理能力を向上させるために、超音波発振子を設けて、その振動をウェーブガイドによってふるい網に伝達する構造のものが提案されている。
【０００３】
特許文献１に示された取付構造では、ウェーブガイドはＬ字形に屈曲させられており、その水平部を中枠と下枠の間に特別に設けたふるい枠に外方から貫通させた後、上方へ屈曲するその先端部を、ふるい網の下面に接して設けた共振リングに固定してある。古いウェーブガイドがふるい枠を貫通する部分は、貫通孔を形成したフランジ板、板状のパッキン、およびパッキン押さえ板によって密閉されている。そして、超音波発振子の支持は、コンバーター保持リングによって弾性保持体を介して超音波発振子の全周を抱持し、この状態で、ふるい枠の側面に基端を固定した一対のアーム状コンバーター支持具の先端を上記保持リングにボルト結合することによって行われている。
【先行技術文献】
【特許文献】
【０００４】
【特許文献１】特開２０１４−５４５８４
【発明の概要】
【発明が解決しようとする課題】
【０００５】
しかし、上記従来の超音波発振子の取付構造では、ウェーブガイドを貫通させる特別なふるい枠を中枠と下枠の間に設ける必要があるとともに、超音波発振子の取り付けのために多数の部品を要し、したがって超音波振動子の取り付けはもとよりその取り外しも手間を要するという問題があった。
【０００６】
そこで、本発明はこのような課題を解決するもので、取り付けのための部品点数を削減し、取り付けや取り外しの手間も大幅に軽減した振動ふるい装置の超音波発振子の取付構造を提供することを目的とする。
【課題を解決するための手段】
【０００７】
上記目的を達成するために、本第１発明では、振動ふるい装置のふるい網（６）を保持する枠体（３３）の外周に、外方へ開放する一端閉鎖の円筒状に形成された収容部材（７４）を設けてこれに柱状の超音波発振子（４）を収容し、収容状態で前記超音波発振子（４）の出力端（４３）を前記収容部材（７４）の閉鎖端面に設けた開口に位置させるとともに、前記収容部材（７４）を蓋部材（７５）で閉鎖して当該蓋部材（７５）の閉鎖端面に設けた開口に前記超音波発振子（４）の入力端（４４）を位置させ、この状態で前記超音波発振子（４）の両端面を、前記収容部材（７４）内と前記蓋部材（７５）内にそれぞれ配設した振動絶縁用の弾性部材（８１，８２）によって弾性的に保持するようにし、前記出力端（４３）にふるい網（６）に至る振動伝達部材（５）の基端を連結するとともに、前記入力端（４４）に高周波信号線（４２）を接続する。
【０００８】
本第１発明においては、収容部材に超音波振動子を収容した後、収容部材を蓋部材で閉鎖するだけで超音波発振子の取り付けが完了するから、超音波発振子の取り付けや取り外しの手間が大幅に軽減されるとともに、取付けのための部品点数も削減される。  
【０００９】
本第２発明では、前記収容部材（７４）の開放端部外周にねじ部（７４１）を形成して、当該ねじ部（７４１）に、一端閉鎖の容器状に形成された前記蓋部材（７５）の開放端部内周に形成されたねじ部（７５１）を螺合させて、前記収容部材（７４）を前記蓋部材（７５）で閉鎖する。
【００１０】
本第２発明においては、蓋部材による収容部時の閉鎖をねじ込によって容易に行うことができる。この場合、蓋部材は、これを把持して収容部材への螺合閉鎖が容易に行えるような全体径や長さに設定すると良い。
【００１１】
本第３発明では、前記振動伝達部材（５）を直線状の棒体で構成する。
【００１２】
本第３発明においては、振動伝達部材の製作が容易であるとともに振動伝達がより効率的かつ確実に行われる。
【００１３】
本第４発明では、前記振動伝達部材（５）を、ふるい網（６）を張設したリングフレーム（５１）の外周から内方へ貫通させてその一端を共振リング（５２）の外周に当接させて接合する。
【００１４】
本第４発明においては、従来例のように中枠と下枠の間に特別にふるい枠を設ける必要が無い。
【００１５】
本第５発明では、前記振動ふるい装置のふるい容器本体（３）を構成する枠体（３３，３４）の連結部に、シール部材（６２，６４）を介して前記リングフレーム（５１）を挟持させて前記ふるい容器本体（３）の密閉性を確保する。
【００１６】
本第５発明によれば、従来例のようなフランジ板、パッキン、およびパッキン押さえ板等の複雑な密閉構造を必要としない。
【００１７】
上記カッコ内の符号は、後述する実施形態に記載の具体的手段との対応関係を参考的に示すものである。
【発明の効果】
【００１８】
以上のように、本発明の振動ふるい装置の超音波発振子の取付構造によれば、取り付けのための部品点数が削減でき、取り付けや取り外しの手間も大幅に軽減することができる。
【図面の簡単な説明】
【００１９】
【図１】本発明の一実施形態における、振動ふるい装置の全体側面図である。
【図２】図２のＡ部に相当する、取付構造の垂直断面図である。
【図３】リングフレームの全体平面図である。
【図４】取付構造の正面図である。
【図５】取付構造を構成する、収容部材と蓋部材の斜視図である。
【発明を実施するための形態】
【００２０】
なお、以下に説明する実施形態はあくまで一例であり、本発明の要旨を逸脱しない範囲で当業者が行う種々の設計的改良も本発明の範囲に含まれる。
【００２１】
図１に振動ふるい装置の全体側面図を示す。図１において、固定架台１上に複数のコイルバネ２によって有底円筒状のふるい容器本体３が支持され、図略の振動モータの振動が、ふるい容器本体３からその内部に張設した金属製あるいは合成樹脂製のふるい網に伝達されて、投入口３１から投入された各種粉体原材料がふるい分けされて排出口３２から排出される。
【００２２】
そして、原材料の分散とふるい網の目詰まりを除去してふるい処理能力を向上させるために、超音波発振子４が設けられて、その高周波振動が振動伝達部材たるウェーブガイド５によってふるい網に伝達される。超音波発振子４には高周波発生器４１から延びる高周波信号線としての高周波ケーブル４２が接続されている。
【００２３】
超音波発振子４は詳細を以下に説明する構造で、ふるい容器本体３を構成する枠体としての中枠３３に取り付けられている。図２は図１のＡ部の拡大図であり、ふるい網６は矩形断面を有する円形リングフレーム５１の開口を閉鎖するように、その外周縁６１がリングフレーム５１の上面に接合されている。ここで、図３にリングフレーム５１の全体平面図を示す。リングフレーム５１には内部に同心状に共振リング５２が配置され、共振リング５２の外周とリングフレーム５１の内周との間には複数の支持ブリッジ５３が設けられている。ふるい網（図示略）はリングフレーム５１の円形開口の全面を覆い、その下面は共振リング５２や支持ブリッジ５３に接している。共振リング５１の外周の一か所に、直線状の棒体で構成された上記ウェーブガイド５の一端が接合され、ウェーブガイド５はリングフレーム５１を貫通してその先端５４が外方へ突出している。
【００２４】
図２において、中枠３３の下端開口縁３３１は外方（図２の右方）へ段付きに膨出している。一方、枠体としての下枠３４の上端開口縁３４１は外方へ屈曲しており、これら開口縁３３１，３４１を、略く字断面とした固定バンド３５で外方から集合連結してある。この連結状態で、リングフレーム５１の上面全周に介在させたシール部材６２、およびリングフレーム５１の下面全周に外方へ突出させたフランジ板６３の外周縁を覆うように設けたシール部材６４がそれぞれ中枠３３の下端開口縁３３１および下枠３４の上端開口縁３４１に密接して、ふるい容器本体３内が密閉される。なお、ウェーブガイド５は上記下端開口縁３３１の側面を貫通して水平に突出している。
【００２５】
中枠３３の下端開口縁３３１に近い側面から外方へ支持ステー７１が突設されており、支持ステー７１は正面視で下方へ開放するＵ字状に成形されている（図３）。支持ステー７１の頂壁下面にはその左右位置に、Ｌ字形に屈曲するステー７２の水平部がボルト止めされており、左右のステー７２の垂直部間には取付基板７３が両端をそれぞれボルト固定されて垂直姿勢で架設されている。
【００２６】
取付基板７３には円筒状の壁体７４１が水平姿勢で固定されて一端が取付基板７３で閉鎖された筒状の収容部材７４が構成されている（図２）。そして収容部材７４の内部に、これよりやや小径の円柱状の超音波発振子４の略半部が挿入され収容されている。この状態で、超音波発振子４の挿入端面には、収容部材内に挿置された弾性部材としてのＯリング８１が当接している。超音波発振子４の挿入端面に出力端４３が突出形成されて、取付基板７３の中央に設けられた開口を経てふるい容器本体３側へ突出し、この出力端４３にウェーブガイド５の先端が連結されている。
【００２７】
超音波発振子４の略半部を収容した収容部材７４には開放端部の外周にねじ部７４２が形成されており、当該ねじ部７４２に、一端閉鎖の円筒状に成形された蓋部材７５の開放端部の内周に形成されたねじ部７５１が螺合して両者が結合されている。収容部材７４に対して蓋部材７５をねじ込み結合した状態で、収容部材７４から露出している超音波振動子４の残る略半部が蓋部材７５内へ収容され、この時、蓋部材７５内に挿置されている弾性部材としてのＯリング８２が超音波発振子４の外方端面に当接する。
【００２８】
これにより、超音波振動子４はその両端面が、収容部材７４内と蓋部材７５内にそれぞれ配設されたＯリング８１，８２で両端面側から弾性的に挟持された状態で保持される。なお、連結された状態で対向する収容部材７４の開口端面と蓋部材７５の内周段付面との間にはＯリング８３が介設されて、これによって収容部材７４と蓋部材７５のねじ結合の緩むのが防止される。蓋部材７５の閉鎖端面中心に形成された開口からは超音波振動子４の入力端４４が突出して、ここに高周波ケーブル４２（図１）が接続される。
【００２９】
以上のような取付構造によれば、超音波振動子４は両端側からＯリング８１，８２で弾性的に支持されているから、ふるい容器本体３側からの振動が超音波振動子４に伝達されるのが防止される。また、超音波振動子４を収容部材７４内に挿入し、蓋部材７５を収容部材７４に結合するだけで容易に超音波振動子４を振動ふるい装置に取り付けることができる。超音波振動子４を振動ふるい装置から取り外すのも、収容部材７４と蓋部材７５の結合を解消するだけで容易に行うことができる。そして、従来に比して取り付けのための部品点数も少なくすることが可能である。
【００３０】
なお、図５に収容部材７４に蓋部材７５を結合した状態の斜視図を示す。図５より明らかなように、蓋部材７５を収容部材７４と同程度の大きさの十分に把持面積と把持径を確保できる筒状のものし、加えて蓋部材の外周に滑り止め模様を施せば、収容部材７４へのねじ込み結合およびその解消を比較的小さな力で行うことができる。
【符号の説明】
【００３１】
３３…中枠（枠体）、３４…下枠（枠体）、４…超音波発振子、４２…高周波ケーブル（高周波信号線）、４３…出力端、４４…入力端、６…ふるい網、５…ウェーブガイド（振動伝達部材）５１…リングフレーム、５２…共振リング、６…ふるい網、６２，６４…シール部材、７４…収容部材、７４１…ねじ部、７５…蓋部材、７５１…ねじ部、８１，８２…Ｏリング（弾性部材）。
【図１】
2019202276.tif 000003
【図２】
2019202276.tif 000004
【図３】
2019202276.tif 000005
【図４】
2019202276.tif 000006
【図５】
2019202276.tif 000007
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
振動ふるい装置のふるい網を保持する枠体の外周に、外方へ開放する一端閉鎖の円筒状に形成された収容部材が固定されており、当該収容部材内に柱状の超音波発振子が収容されて、収容状態で前記超音波発振子の出力端は前記収容部材の閉鎖端面に設けた開口に位置させられ、前記収容部材は蓋部材で閉鎖されて当該蓋部材の閉鎖端面に設けた開口に前記超音波発振子の入力端が位置させられ、前記出力端に前記ふるい網に至る振動伝達部材の基端が連結されるとともに、前記入力端に高周波信号線が接続されている振動ふるい装置の超音波発振子の取付構造。
【請求項２】
前記収容部材の開放端部外周にねじ部が形成されて、当該ねじ部に、一端閉鎖の容器状に形成された前記蓋部材の開放端部内周に形成されたねじ部が螺合されており、前記収容部材が前記蓋部材で閉鎖されている請求項１に記載の振動ふるい装置の超音波発振子の取付構造。
【請求項３】
前記振動伝達部材が直線状の棒体で構成されている請求項１又は２に記載の振動ふるい装置の超音波発振子の取付構造。
【請求項４】
前記振動伝達部材は、ふるい網が張設されたリングフレームの外周から内方へ貫通させられており、その一端が共振リングの外周に当接して接合されている請求項３に記載の振動ふるい装置の超音波発振子の取付構造。
【請求項５】
前記振動ふるい装置のふるい容器本体を構成する枠体の連結部に、シール部材を介して前記リングフレームが挟持されて前記ふるい容器本体の密閉性が確保されている請求項４に記載の振動ふるい装置の超音波発振子の取付構造。
【手続補正２】
【補正対象書類名】明細書
【補正対象項目名】０００３
【補正方法】変更
【補正の内容】
【０００３】
特許文献１に示された取付構造では、ウェーブガイドはＬ字形に屈曲させられており、その水平部を中枠と下枠の間に特別に設けたふるい枠に外方から貫通させた後、上方へ屈曲するその先端部を、ふるい網の下面に接して設けた共振リングに固定してある。ウェーブガイドがふるい枠を貫通する部分は、貫通孔を形成したフランジ板、板状のパッキン、およびパッキン押さえ板によって密閉されている。そして、超音波発振子の支持は、コンバーター保持リングによって弾性保持体を介して超音波発振子の全周を抱持し、この状態で、ふるい枠の側面に基端を固定した一対のアーム状コンバーター支持具の先端を上記保持リングにボルト結合することによって行われている。
【手続補正３】
【補正対象書類名】明細書
【補正対象項目名】０００４
【補正方法】変更
【補正の内容】
【０００４】
【特許文献１】特開２０１４−５４５８４号公報
【手続補正４】
【補正対象書類名】明細書
【補正対象項目名】０００７
【補正方法】変更
【補正の内容】
【０００７】
上記目的を達成するために、本第１発明では、振動ふるい装置のふるい網（６）を保持する枠体（３３）の外周に、外方へ開放する一端閉鎖の円筒状に形成された収容部材（７４）が固定されており、当該収容部材（７４）内に柱状の超音波発振子（４）が収容されて、収容状態で前記超音波発振子（４）の出力端（４３）は前記収容部材（７４）の閉鎖端面に設けた開口に位置させられ、前記収容部材（７４）は蓋部材（７５）で閉鎖されて当該蓋部材（７５）の閉鎖端面に設けた開口に前記超音波発振子（４）の入力端（４４）が位置させられ、前記出力端（４３）に前記ふるい網（６）に至る振動伝達部材（５）の基端が連結されるとともに、前記入力端（４４）に高周波信号線（４２）が接続されている。
【手続補正５】
【補正対象書類名】明細書
【補正対象項目名】０００９
【補正方法】変更
【補正の内容】
【０００９】
本第２発明では、前記収容部材（７４）の開放端部外周にねじ部（７４１）が形成されて、当該ねじ部（７４１）に、一端閉鎖の容器状に形成された前記蓋部材（７５）の開放端部内周に形成されたねじ部（７５１）が螺合されており、前記収容部材（７４）が前記蓋部材（７５）で閉鎖されている。
【手続補正６】
【補正対象書類名】明細書
【補正対象項目名】００１０
【補正方法】変更
【補正の内容】
【００１０】
本第２発明においては、蓋部材による収容部時の閉鎖をねじ込みによって容易に行うことができる。この場合、蓋部材は、これを把持して収容部材への螺合閉鎖が容易に行えるような全体径や長さに設定すると良い。
【手続補正７】
【補正対象書類名】明細書
【補正対象項目名】００１１
【補正方法】変更
【補正の内容】
【００１１】
本第３発明では、前記振動伝達部材（５）が直線状の棒体で構成されている。
【手続補正８】
【補正対象書類名】明細書
【補正対象項目名】００１３
【補正方法】変更
【補正の内容】
【００１３】
本第４発明では、前記振動伝達部材（５）は、ふるい網（６）が張設されたリングフレーム（５１）の外周から内方へ貫通させられており、その一端が共振リング（５２）の外周に当接して接合されている。
【手続補正９】
【補正対象書類名】明細書
【補正対象項目名】００１５
【補正方法】変更
【補正の内容】
【００１５】
本第５発明では、前記振動ふるい装置のふるい容器本体（３）を構成する枠体（３３，３４）の連結部に、シール部材（６２，６４）を介して前記リングフレーム（５１）が挟持されて前記ふるい容器本体（３）の密閉性が確保されている。
【手続補正１０】
【補正対象書類名】明細書
【補正対象項目名】００１９
【補正方法】変更
【補正の内容】
【００１９】
【図１】本発明の一実施形態における、振動ふるい装置の全体側面図である。
【図２】図１のＡ部に相当する、取付構造の垂直断面図である。
【図３】リングフレームの全体平面図である。
【図４】取付構造の正面図である。
【図５】取付構造を構成する、収容部材と蓋部材の斜視図である。
【手続補正１１】
【補正対象書類名】明細書
【補正対象項目名】００２５
【補正方法】変更
【補正の内容】
【００２５】
中枠３３の下端開口縁３３１に近い側面から外方へ支持ステー７１が突設されており、支持ステー７１は正面視で下方へ開放するＵ字状に成形されている（図４）。支持ステー７１の頂壁下面にはその左右位置に、Ｌ字形に屈曲するステー７２の水平部がボルト止めされており、左右のステー７２の垂直部間には取付基板７３が両端をそれぞれボルト固定されて垂直姿勢で架設されている。
【手続補正１２】
【補正対象書類名】明細書
【補正対象項目名】００２６
【補正方法】変更
【補正の内容】
【００２６】
取付基板７３には円筒状の壁体７４１（図２）が水平姿勢で固定されて一端が取付基板７３で閉鎖された筒状の収容部材７４が構成されている。そして収容部材７４の内部に、これよりやや小径の円柱状の超音波発振子４の略半部が挿入され収容されている。この状態で、超音波発振子４の挿入端面には、収容部材７４内に挿置された弾性部材としてのＯリング８１が当接している。超音波発振子４の挿入端面に出力端４３が突出形成されて、取付基板７３の中央に設けられた開口を経てふるい容器本体３側へ突出し、この出力端４３にウェーブガイド５の先端が連結されている。
【手続補正１３】
【補正対象書類名】明細書
【補正対象項目名】００３０
【補正方法】変更
【補正の内容】
【００３０】
なお、図５に収容部材７４に蓋部材７５を結合した状態の斜視図を示す。図５より明らかなように、蓋部材７５を収容部材７４と同程度の大きさの十分に把持面積と把持径を確保できる筒状のものとし、加えて蓋部材の外周に滑り止め模様を施せば、収容部材７４へのねじ込み結合およびその解消を比較的小さな力で行うことができる。
【手続補正１４】
【補正対象書類名】明細書
【補正対象項目名】００３１
【補正方法】変更
【補正の内容】
【００３１】
３３…中枠（枠体）、３４…下枠（枠体）、４…超音波発振子、４２…高周波ケーブル（高周波信号線）、４３…出力端、４４…入力端、５…ウェーブガイド（振動伝達部材）、５１…リングフレーム、５２…共振リング、６…ふるい網、６２，６４…シール部材、７４…収容部材、７４２…ねじ部、７５…蓋部材、７５１…ねじ部、８１，８２…Ｏリング（弾性部材）。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
振動ふるい装置のふるい網を保持する枠体の外周に、外方へ開放する一端閉鎖の円筒状に形成された収容部材が固定されており、当該収容部材内に柱状の超音波発振子が収容されて、収容状態で前記超音波発振子の出力端は前記収容部材の閉鎖端面に設けた開口に位置させられ、前記収容部材は蓋部材で閉鎖されて当該蓋部材の閉鎖端面に設けた開口に前記超音波発振子の入力端が位置させられ、前記出力端に前記ふるい網に至る振動伝達部材の基端が連結されるとともに、前記入力端に高周波信号線が接続されている振動ふるい装置。
【請求項２】
前記収容部材の開放端部外周にねじ部が形成されて、当該ねじ部に、一端閉鎖の容器状に形成された前記蓋部材の開放端部内周に形成されたねじ部が螺合されており、前記収容部材が前記蓋部材で閉鎖されている請求項１に記載の振動ふるい装置。
【請求項３】
前記振動伝達部材が直線状の棒体で構成されている請求項１又は２に記載の振動ふるい装置。
【請求項４】
前記振動伝達部材は、ふるい網が張設されたリングフレームの外周から内方へ貫通させられており、その一端が共振リングの外周に当接して接合されている請求項３に記載の振動ふるい装置。
【請求項５】
前記振動ふるい装置のふるい容器本体を構成する枠体の連結部に、シール部材を介して前記リングフレームが挟持されて前記ふるい容器本体の密閉性が確保されている請求項４に記載の振動ふるい装置。
【手続補正３】
【補正対象書類名】明細書
【補正対象項目名】０００１
【補正方法】変更
【補正の内容】
【０００１】
本発明は振動ふるい装置に関し、特に簡易な構造で超音波発振子の確実な取付けが可能な振動ふるい装置に関するものである。
【手続補正４】
【補正対象書類名】明細書
【補正対象項目名】０００６
【補正方法】変更
【補正の内容】
【０００６】
そこで、本発明はこのような課題を解決するもので、超音波発振子の取り付けのための部品点数を削減し、取り付けや取り外しの手間も大幅に軽減した振動ふるい装置を提供することを目的とする。
【手続補正５】
【補正対象書類名】明細書
【補正対象項目名】００１８
【補正方法】変更
【補正の内容】
【００１８】
以上のように、本発明の振動ふるい装置によれば、超音波発振子の取り付けのための部品点数が削減でき、取り付けや取り外しの手間も大幅に軽減することができる。
【手続補正６】
【補正対象書類名】明細書
【補正対象項目名】００１９
【補正方法】変更
【補正の内容】
【００１９】
【図１】本発明の一実施形態における、振動ふるい装置の全体側面図である。
【図２】図１のＡ部に相当する、超音波振動子の取付構造を示す垂直断面図である。
【図３】リングフレームの全体平面図である。
【図４】超音波振動子の取付構造を示す正面図である。
【図５】超音波振動子の取付構造を構成する、収容部材と蓋部材の斜視図である。
【手続補正７】
【補正対象書類名】要約書
【補正対象項目名】全文
【補正方法】変更
【補正の内容】
【要約】
【要約】
【課題】取り付けのための部品点数を削減し、取り付けや取り外しの手間も大幅に軽減した振動ふるい装置を提供する。
【解決手段】振動ふるい装置のふるい網６を保持する中枠３３の外周に、外方へ開放する一端閉鎖の円筒状に形成された収容部材７４を設けてこれに柱状の超音波発振子４を収容し、収容状態で超音波発振子４の出力端４３を収容部材７４の閉鎖端面に設けた開口に位置させるとともに、収容部材７４を蓋部材７５で閉鎖して当該蓋部材７５の閉鎖端面に設けた開口に超音波発振子４の入力端４４を位置させ、この状態で超音波発振子４の両端面を、収容部材７４内と蓋部材７５内にそれぞれ配設した振動絶縁用のＯリング８１，８２によって弾性的に保持するようにし、出力端４３にふるい網６に至るウェーブガイド５の基端を連結するとともに、入力端４４に高周波ケーブル４２を接続する。
【選択図】        図２